(57)【特許請求の範囲】
【請求項１】
主辺及び該主辺と隣接する副辺を有する太陽電池パネルと、前記主辺に沿って配設された主枠部材と、前記副辺に沿って配設された副枠部材とを備えた太陽電池モジュールであって、
前記主枠部材及び前記副枠部材は、前記太陽電池パネルを保持する保持部を備え、
前記主枠部材は、該主枠部材の前記保持部よりも下側に、長さ方向の端部で開口する端面と、該端面の開口から内部に連通する主内部空間とを備え、
前記副枠部材は、該副枠部材の前記保持部よりも下側に、前記端面が当接する当接面と、前記端面から離間している離間部とを備え、
前記離間部の少なくとも上下に、前記当接面が備えられており、
前記端面と前記離間部との間に空隙が形成され、該空隙を介して前記主内部空間が外部と連通しており、
前記空隙が外側に露出しないように、前記離間部の端部が前記主枠部材によってふさがれていることを特徴とする太陽電池モジュール。
【請求項２】
請求項１に記載の太陽電池モジュールにおいて、
前記副枠部材は、内部に副内部空間を備え、該副内部空間を前記主内部空間と連通させるように前記離間部に貫通孔を備えている太陽電池モジュール。
【請求項３】
請求項２に記載の太陽電池モジュールにおいて、
前記副枠部材は、前記副内部空間を外部と連通させるように、底部に貫通孔を備えている太陽電池モジュール。
【発明の詳細な説明】
【技術分野】
【０００１】
本発明は、枠部材を用いて太陽電池パネルを囲むように保持する太陽電池モジュールに関する。
【背景技術】
【０００２】
太陽電池モジュールは、一般的に、矩形状の太陽電池パネルと、この太陽電池パネルを保持する枠部材とで構成されている。この太陽電池モジュールに使用される枠部材には、種々の構造のものが知られている。
【０００３】
この枠部材の構造の例としては、太陽電池パネルの一辺に沿って垂直に形成された外壁と、この外壁の上部に水平に形成され、断面がコの字形をした保持部を備えた構造の枠部材が知られている。
【０００４】
この枠部材を用いた太陽電池モジュールでは、この枠部材における断面がコの字形をした保持部の内部に、太陽電池パネルの辺を嵌入することにより、太陽電池パネルを挟持する構造を採用している（例えば、特許文献１の図２参照）。
【０００５】
上記の特許文献１に記載の太陽電池モジュールでは、枠部材は、上述した断面がコの字形をした太陽電池パネル挟持部のほか、この太陽電池パネル挟持部から下方に伸びるようにして形成された外枠部及び内枠部と、これらの外枠部と内枠部のそれぞれの下端から、内側に折れ曲がるようにして形成されたフランジ部とを備えている。
【０００６】
この特許文献１に記載の太陽電池モジュールの構造では、外枠部と内枠部との間には空間が存在するが、外枠部のフランジ部と内枠部のフランジ部との間には、開口部が存在しているので、上記の空間は、この開口部を介して外部と連通している。
【０００７】
この太陽電池モジュールでは、太陽電池モジュールを架台に取り付けるのに、上記の外枠部及び内枠部のフランジ部を共に上から押さえて架台に取り付ける金具を用いている。この場合、この金具を、ボルトで架台に固定することにより、太陽電池モジュールを架台に取り付けている。
【０００８】
上記の構造を備えた太陽電池モジュールでは、上述したように、太陽電池モジュールを架台に取り付けるのに、太陽電池モジュールの外枠部及び内枠部のフランジ部を押さえる金具を、架台に固定している。そこで、この太陽電池モジュールの取り付け強度を強化しようとすると、外枠部、内枠部、及び、フランジ部の強度を増す必要があることから、これらの部材の厚さを厚くする等の補強が必要になってくる。
【０００９】
しかし、上記のように、部材の厚さを厚くして部材の強度を増す方法は、太陽電池モジュールの大きさや重量の増加を招くことになることから、対策方法としては、得策とは言いがたい。
【００１０】
そこで、上記のような部材の厚さを厚くする方法を用いずに、これらの部材の強度を増加する方法として、例えば、枠部材として、外枠部と内枠部と底辺部とで構成され、内部に中空状の空間部を備えた枠部材を用いる方法が考案されており、一般的に、広く採用されている。このような、内部に中空状の空間部を備えた枠部材を用いた太陽電池モジュールでは、外枠部と内枠部との間には空間が存在するが、この空間は、底辺部で閉塞されている。
【００１１】
尚、本明細書では、太陽電池パネルの周囲を枠部材を用いて保持した太陽電池モジュールにおいて、「内側」とは、「太陽電池パネルが存在する方向の側」を意味し、「外側」とは、この「内側」と逆方向の側、即ち、「太陽電池パネルが存在する方向と逆方向の側」を意味するものとする。また、後述する「後退部」を「離間部」とも称する。
【発明の開示】
【発明が解決しようとする課題】
【００１２】
ところで、太陽電池モジュールは、太陽光を無駄なく使用できるようにするために、屋根等の屋外の設置場所に設置される。このように、太陽電池モジュールを屋根等の屋外の設置場所にした場合、太陽電池モジュールは、降雨時等には、降雨にさらされることになる。そのため、雨水が、太陽電池モジュールの枠部材の中に浸入することがたびたび生じる。
【００１３】
この場合に、上述した特許文献１に記載の太陽電池モジュールでは、外枠部と内枠部との間には空間が存在するが、外枠部のフランジ部と内枠部のフランジ部との間には、開口部が存在しているので、上記の空間は、この開口部を介して外部と連通している。そのため、上述した特許文献１に記載の太陽電池モジュールにおいて、外枠部と内枠部との間の空間に侵入した雨水は、この開口部から外へ排出できる。
【００１４】
しかし、部材の厚さを厚くする方法を用いずに、強度を増加した上述した外枠部と内枠部と底辺部とで構成され、内部に中空状の空間部を備える枠部材を用いた太陽電池モジュールでは、外枠部と内枠部との間には空間が存在するが、この空間は、底辺部で閉塞されている。従って、外枠部と内枠部との間の空間に侵入した雨水は、外へ排出するのが困難となり、冬季等では、この外枠部と内枠部との間の空間に侵入した雨水が凍結することにより、太陽電池モジュールが破壊されるおそれもある。
【００１５】
そこで、この発明は、このような状況を改善するためになされたものであって、太陽電池モジュールが、屋根等の屋外に設置されて、雨水等が流れ込んでも、排出可能な太陽電池モジュールを提供しようとするものである。
【課題を解決するための手段】
【００１６】
本発明の太陽電池モジュールは、太陽電池パネルの主辺を保持する主枠部材と、主辺と隣接する副辺を保持する副枠部材とで、太陽電池パネルを囲むように保持して形成された太陽電池モジュールである。これらの枠部材としては、一般的には、一対の主枠部材と、該主枠部材に隣接する一対の副枠部材とが用いられる。
【００１７】
上記の太陽電池モジュールでは、主枠部材は、太陽電池パネルの主辺に沿って形成された主外壁と、該主外壁の上部の内側に、上下に、内側に張出して設けられ、相互間に太陽電池パネルを嵌め込んで保持する主保持上片、及び、主保持下片と、主外壁の下端の内側に、該主外壁に沿って内側に張出して形成された主底辺片と、該主底辺片と主保持下片との間に形成された主内壁とを備えて形成されている。又、この太陽電池モジュールでは、主外壁、主保持下片、主内壁、及び、主底辺片で囲まれた主内部空間が、主枠部材に形成されている。
【００１８】
又、副枠部材は、太陽電池パネルの副辺に沿って形成された副外壁と、該副外壁の上部の内側に、上下に、内側に張出して設けられ、相互間に太陽電池パネルを嵌め込んで保持する副保持上片、及び、副保持下片と、副外壁の下端の内側に、該副外壁に沿って内側に張出して形成された副底辺片と、該副底辺片と前記副保持下片との間に形成された副内壁とを備えて形成されている。又、この太陽電池モジュールでは、副外壁、副保持下片、副内壁、及び、副底辺片で囲まれた副内部空間が、副枠部材に形成されている。
【００１９】
又、上記の太陽電池モジュールでは、主枠部材の主内部空間の開口部が、副枠部材における副内壁の端部の内側面に当接している。このようにして、主枠部材と副枠部材とが結合されて、上記の太陽電池モジュールが構成されている。
【００２０】
この太陽電池モジュールでは、主枠部材の主内部空間の開口部が当接する部分を含む副枠部材の副内壁の少なくとも端部に、該副内壁の一部が副内部空間側に後退して形成される副内壁後退部を備えると共に、該副内壁後退部と主内部空間の開口部との間に空隙が形成され、該空隙を介して主内部空間が外部と連通していることを特徴としている。また、空隙が外側に露出しないように、離間部（後退部）の端部が主枠部材によってふさがれている。
【００２１】
そのため、上記の太陽電池モジュールが、屋根等の傾斜した場所に、一対の副枠部材のいずれか一方が上方に位置するようにして設置された場合等に、次のような作用を奏する。
【００２２】
即ち、斜めに配置された主枠部材における主内部空間に雨水等が流れ込んでも、上述したように、該主内部空間が、副枠部材の端部に形成された副内壁後退部と主内部空間の開口部との間に形成された空隙を介して、外部と連通しているので、主枠部材の主内部空間に流れ込んだ雨水等を、この空隙を介して、外部に排出することができる。
【００２３】
従って、上記の太陽電池モジュールが、屋根等の屋外に設置されて、雨水等が流れ込んでも、流入した雨水等を排出することができる。
【００２４】
上記の太陽電池モジュールにおいて、副枠部材の副内壁の副内壁後退部は、副内壁の中央寄りの位置に形成されるようにしてもよい。この場合、副枠部材の副内壁の中央寄りの位置に形成された副内壁後退部に、該副内壁後退部を貫通する副内壁後退部貫通孔を備えるようにしてもよい。このようにすることで、上記の太陽電池モジュールでは、該副内壁後退部貫通孔を介して、上記の主内部空間と副内部空間とが連通する。
【００２５】
そのため、上記の副内壁後退部貫通孔と、副枠部材の副底辺片に形成される後述する副底辺片貫通孔とを組み合わせることで、次のような作用を奏する。即ち、主枠部材における主内部空間に、雨水等が流れ込んだ場合に、該主内部空間を流れる雨水等が、副内壁後退部貫通孔から副枠部材の副内部空間に流入すると共に、この副内部空間に流入した雨水等を、副枠部材の副底辺片に形成される後述する副底辺片貫通孔から外へ排出することができる。
【００２６】
従って、上記の太陽電池モジュールが、屋根等の屋外に設置されて、雨水等が流れ込んでも、流入した雨水等を排出することができる。
【００２７】
又、上記の太陽電池モジュールにおいて、副内壁から該副内壁に沿って内側に張出して形成された副底部片を備えると共に、副枠部材の副内壁の副内壁後退部を、副底部片の張出位置より、下方の位置に形成されるようにしてもよい。具体的には、例えば、副枠部材の副内壁の副内壁後退部は、副内壁と副底辺片とで形成される角部を斜めに面取するように形成するのである。
【００２８】
このようにすることにより、副内壁と副底辺片とで形成される角部を斜めに面取するように形成された副枠部材の副内壁後退部と、主枠部材の主内部空間の開口部との間に、断面が三角形状の空隙が形成される。
【００２９】
そのため、この空隙により、主枠部材の主内部空間に流れ込んだ雨水等を、外部に排出することができる。従って、上記の太陽電池モジュールが、屋根等の屋外に設置されて、雨水等が流れ込んでも、流入した雨水等を排出することができる。
【００３０】
又、上記の太陽電池モジュールにおいて、副枠部材の副底辺片に、該副底辺片を貫通する副底辺片貫通孔を備えると共に、該副底辺片貫通孔を介して、副内部空間が外部と連通するようにしてもよい。
【００３１】
このようにすることにより、上記の太陽電池モジュールに雨水等が流れ込んで、該太陽電池モジュールの副枠部材の副内部空間に雨水等が流入しても、流入したこの雨水等を、副枠部材の副底辺片に形成された副底辺片貫通孔から外へ排出することができる。
【００３２】
又、上述したように、主枠部材における主内部空間に雨水等が流れ込んだ場合に、該主内部空間を流れる雨水等が、副内壁後退部貫通孔から副枠部材の副内部空間に流入すると共に、この副内部空間に流入した雨水等を、副枠部材の副底辺片に形成される副底辺片貫通孔から外へ排出することができる。
【００３３】
従って、上記の太陽電池モジュールが、屋根等の屋外に設置されて、雨水等が流れ込んでも、流入した雨水等を排出することができる。
【００３４】
又、上記の太陽電池モジュールにおいて、上記の副枠部材の副外壁には、副内部空間を形成している部分の該副外壁を削除して形成される副外壁開口部を、備えるようにしてもよい。
【００３５】
このようにすることで、該副外壁開口部により、副枠部材の副内部空間は、閉空間とはならず、該副外壁開口部を備えた空間となることから、この副枠部材の副内部空間に流入した雨水等を、該副外壁開口部から排出することができる。
【００３６】
又、主枠部材における主内部空間に、雨水等が流れ込んだ場合に、該主内部空間を流れる雨水等が、副内壁後退部貫通孔から副枠部材の副内部空間に流入すると共に、この副内部空間に流入した雨水等を、副外壁開口部から排出することができる。
【００３７】
従って、上記の太陽電池モジュールが、屋根等の屋外に設置されて、雨水等が流れ込んでも、排出することができる。
【発明の効果】
【００３８】
本発明の太陽電池モジュールは、主枠部材の主内部空間の開口部が当接する部分を含む副枠部材の副内壁の少なくとも端部に、該副内壁の一部が副内部空間側に後退して形成される副内壁後退部を備えると共に、該副内壁後退部と主内部空間の開口部との間に空隙が形成され、該空隙を介して主内部空間が外部と連通している。
【００３９】
そのため、本発明の太陽電池モジュールによれば、該太陽電池モジュールが、屋根等の傾斜した場所に、１対の副枠部材のいずれか一方が上方に位置するようにして設置された場合等に、斜めに配置された主枠部材における主内部空間に、雨水等が流れ込んでも、該主内部空間が、副枠部材の端部に形成された副内壁後退部と主内部空間の開口部との間の空隙を介して外部と連通しているので、主枠部材の主内部空間に流れ込んだ雨水等を、この空隙を介して、外部に排出することができる。
【００４０】
従って、上記の太陽電池モジュールが、屋根等の屋外に設置されて、雨水等が流れ込んでも、流入した雨水等を排出することができる。
【発明を実施するための最良の形態】
【００４１】
次に、本発明の実施の形態における太陽電池モジュールについて、図面を参照しながら説明する。本実施の形態における説明では、実施の形態１〜実施の形態３の、３種類の実施の形態における太陽電池モジュールについて説明する。
【００４２】
＜実施の形態１＞
図１は、実施の形態１における太陽電池モジュール１の平面図である。実施の形態１における太陽電池モジュール１は、主として、枠部材である一対の主枠部材１０，１０、及び、一対の副枠部材２０ａ，２０ａと、太陽電池パネル９とで構成されている。
【００４３】
図２は、この実施の形態１における太陽電池モジュール１の枠部材を外側から見た部分斜視図、図３は、この枠部材を内側から見た部分斜視図、図４は、副枠部材２０ａの切断面図、図５は、枠部材の部分平面図、図６は、図５のＡ−Ａ断面図を含む側面図、図７は、図５のＢ−Ｂ断面図を含む側面図、図８は、枠部材の部分底面図、図９は、太陽電池モジュール１を外側から見た部分分解斜視図、そして、図１０は、太陽電池モジュール１を内側から見た部分分解斜視図である。
【００４４】
この実施の形態１における太陽電池モジュール１は、次のような構造をしている。即ち、図１〜図１０において、太陽電池パネル９は、矩形状であり、この太陽電池パネル９の主辺を保持する一対の主枠部材１０，１０と、この主辺と隣接する副辺を保持する一対の副枠部材２０ａ，２０ａとを用いて、太陽電池パネル９を保持している。
【００４５】
上記の主枠部材１０は、図３等に示すように、主外壁１１、主保持上片１２、主保持下片１３、主底辺片１４、主内壁１５、及び、主底部片１６で構成されている。この内、主外壁１１は、太陽電池パネル９の主辺に沿って形成されている。主保持上片１２、及び、主保持下片１３は、主外壁１１の上部の内側に、上下に、共に略同じ長さで内側に張出して設けられ、相互間に太陽電池パネル９を嵌め込んで保持している。
【００４６】
主底辺片１４は、主外壁１１の下端の内側に、該主外壁１１に沿って内側に張出して形成されている。主内壁１５は、主底辺片１４と主保持下片１３の間に形成され、例えば、本実施例では、主底辺片１４の先端と主保持下片１３の先端とを結んで形成されている。
この主内壁１５は、上記のような形状のほか、例えば、主保持下片１３の下面の途中の部分から主内壁１５が垂れ下がるように形成され、主保持下片１３の先端が突出するようにしてもよい。
【００４７】
主底部片１６は、主内壁１５の下部の内側に、主内壁１５に沿って内側に張出して形成されている。この主底部片１６は、主枠部材１０の捩れ強度を増強する効果があり、本実施例では、枠補強の一例として記載している。又、主底辺片１４と後述の主底部片１６が連続して形成されるようにしてもよいし、主枠部材１０の強度が十分であれば、主底部片１６は無くてもよい。
【００４８】
又、主枠部材１０には、図３等に示すように、主外壁１１、主保持下片１３、主内壁１５、及び、主底辺片１４で囲まれる空間が、主枠部材１０に形成されており、この空間を主内部空間１７と称する。
【００４９】
上記の副枠部材２０ａは、図３、図４等に示すように、副外壁２１、副保持上片２２、副保持下片２３、副底辺片２４、副内壁２５、及び、副底部片２６で構成されている。この内、副外壁２１は、太陽電池パネル９の副辺に沿って形成されている。副保持上片２２、及び、副保持下片２３は、副外壁２１の上部の内側に、上下に、共に略同じ長さで内側に張出して設けられ、相互間に太陽電池パネル９を嵌め込んで保持している。
【００５０】
副底辺片２４は、副外壁２１の下端の内側に、該副外壁２１に沿って内側に張出して形成されている。副内壁２５は、副底辺片２４と副保持下片２３の間に形成され、例えば、本実施例では、副底辺片２４の先端と副保持下片２３の先端とを結んで形成されている。この副内壁２５は、上記のような形状のほか、例えば、副保持下片２３の下面の途中の部分から副内壁２５が垂れ下がるように形成され、副保持下片２３の先端が突出するようにしてもよい。
【００５１】
副底部片２６は、副内壁２５の下部の内側に、副内壁２５に沿って内側に張出して形成されている。この副底部片２６は、副枠部材２０ａの捩れ強度を増強する効果があり、本実施例では、枠補強の一例として記載している。又、副底辺片２４と後述の副底部片２６が連続して形成されるようにしてもよいし、副枠部材２０ａの強度が十分であれば、副底部片２６は無くてもよい。
【００５２】
又、副枠部材２０ａには、図３等に示すように、副外壁２１、副保持下片２３、副内壁２５、及び、副底辺片２４で囲まれる空間が形成されており、この空間を副内部空間２７と称する。
【００５３】
又、上記の太陽電池モジュール１では、図９、図１０に示すように、主枠部材１０の主外壁１１の端部における主保持上片１２、主保持下片１３、主底辺片１４、主内壁１５、及び、主底部片１６が、主外壁１１の端縁から、副枠部材２０ａの副保持上片２２、副保持下片２３、及び、副底辺片２４の張出し長さと同じ幅だけ削除されて、主外壁１１の端部に、平坦な主外壁端部１８が形成されている。
【００５４】
そして、該主外壁端部１８の内側面に、副枠部材２０ａの端部の端面を当接させると共に、太陽電池モジュール１の主枠部材１０と副枠部材２０ａとを、ビス穴１９とビス受け３０を用いてビスにより結合している。
【００５５】
そこで、該主外壁端部１８の内側面に、副枠部材２０ａの端部の端面が当接していることから、副枠部材２０ａの副内部空間２７の開口部が主外壁端部１８の内側面に当接している。そのため、この状態では、副枠部材２０ａの副内部空間２７は、閉空間となる。
【００５６】
しかし、実際には、上記の太陽電池モジュール１では、後述するように、副枠部材２０ａに、副内壁後退部貫通孔２９や、副底辺片貫通孔３１が形成され、副内部空間２７は閉空間とはならず、開口した状態となる。
【００５７】
又、副枠部材２０ａの副底部片２６と、主枠部材１０の主底部片１６とは、相互に衝突しないように、図１０に示すように、主枠部材１０の主底部片１６の端部が削除されている。
【００５８】
上記の太陽電池モジュール１では、図３、図９、図１０等に示すように、主枠部材１０の主内部空間１７の開口部が当接する部分を含む副枠部材２０ａの副内壁２５で、副底部片２６の張出位置より上方の位置に、副内壁２５の長手方向に沿ってこの副内壁２５の全体に、この副内壁２５の一部が副内部空間２７側に後退した副内壁中域後退部２８が形成されている。この副内壁中域後退部２８は、前述の副内壁後退部に相当する。そして、この副内壁中域後退部２８と主内部空間１７の開口部との間には、図６等に示すように、空隙３３が形成され、この空隙を介して主内部空間１７が外部と連通する。
【００５９】
又、上記の太陽電池モジュール１では、図３、図１０等に示すように、副枠部材２０ａの上記の副内壁中域後退部２８で、主枠部材１０の主内部空間１７の開口部と対面する部分を含む部分に、この副内壁中域後退部２８を貫通する副内壁後退部貫通孔２９が形成されている。そして、副枠部材２０ａの副底辺片には、図９に示すように、この副底辺片２４を貫通する副底辺片貫通孔３１が形成されている。この副底辺片貫通孔３１により、副枠部材２０ａの副内部空間２７が外部と連通している。
【００６０】
上記の太陽電池モジュール１によれば、上述したように、主枠部材１０の主内部空間１７の開口部が当接する部分を含む副枠部材２０ａの副内壁２５で、副底部片２６の張出位置より上方の位置に、副内壁２５の長手方向に沿ってこの副内壁２５の全体に、該副内壁２５の一部が副内部空間２７側に後退して形成される副内壁中域後退部２８を備えている。そして、この副内壁中域後退部２８と主内部空間１７の開口部との間に、空隙３３が形成され、この空隙３３を介して主内部空間１７が外部と連通している。
【００６１】
そのため、上記の太陽電池モジュール１が、屋根等の傾斜した場所に、一対の副枠部材２０ａ，２０ａのいずれか一方が上方に位置するようにして設置された場合等に、次のような作用を奏する。
【００６２】
即ち、斜めに配置された主枠部材１０における主内部空間１７に雨水等が流れ込んでも、上述したように、該主内部空間１７が、副枠部材２０ａに形成された副内壁中域後退部２８と主内部空間１７の開口部との間に形成された空隙３３を介して、外部と連通しているので、主枠部材１０の主内部空間１７に流れ込んだ雨水等を、この空隙３３を介して、外部に排出することができる。又、万が一、流れ込んだ雨水が凍結したとしても、余分な雨水は凍結前に排出されるので、主内部空間１７の開口部を塞いでしまうような凍結は生じず、従って、枠形状が変形するのを防止することができる。
【００６３】
又、上記の太陽電池モジュール１では、副内壁中域後退部２８に、該副内壁中域後退部２８を貫通する副内壁後退部貫通孔２９が形成されており、この副内壁後退部貫通孔２９を介して、主内部空間１７と副内部空間２７とが連通している。又、副枠部材２０ａの副底辺片２４に、該副底辺片２４を貫通する副底辺片貫通孔３１が形成されており、この副底辺片貫通孔３１を介して、副内部空間２７が外部と連通している。
【００６４】
そのため、太陽電池モジュール１に雨水等が流れ込んで、該太陽電池モジュール１の副枠部材２０ａの副内部空間２７に雨水等が流入しても、流入したこの雨水等を、副枠部材２０ａの副底辺片２４に形成された副底辺片貫通孔３１から外へ排出することができる。
【００６５】
又、上述したように、主枠部材１０における主内部空間１７に雨水等が流れ込んだ場合に、該主内部空間１７を流れる雨水等が、副内壁後退部貫通孔２９から副枠部材２０ａの副内部空間２７に流入すると共に、この副内部空間２７に流入した雨水等を、副枠部材２０ａの副底辺片２４に形成された副底辺片貫通孔３１から外へ排出することができる。
【００６６】
従って、上記の太陽電池モジュール１が、屋根等の屋外に設置されて、雨水等が流れ込んでも、流入した雨水等を排出することができる。又、万が一、流れ込んだ雨水が凍結したとしても、余分な雨水は凍結前に排出されるので、主内部空間１７の開口部を塞いでしまうような凍結は生じず、従って、枠形状が変形するのを防止することができる。
【００６７】
又、主内部空間１７と副内部空間２７とが連通しているので、主内部空間１７、副内部空間２７の双方に流入した雨水は、効果的に副底辺片貫通孔３１から外へ排出することができる。又、一対の主枠部材１０，１０のいずれか一方が、上方に位置するようにして設置されるようにしても、同様の効果があり、太陽電池モジュール１に対する施工の自由度を、高くすることができる。
【００６８】
枠部材の成型方法として、押し出し成型等を用いた例として、上記の太陽電池モジュール１では、副枠部材２０ａに、副底部片２６の張出位置より上方の位置に、副内壁２５の長手方向に沿ってこの副内壁２５の全体に、この副内壁２５の一部が副内部空間２７側に後退した副内壁中域後退部２８を形成しているが、例えば、副内壁２５の長手方向に沿ってこの副内壁２５の端部にのみ、副内壁中域後退部２８を形成するようにしてもよい。
【００６９】
即ち、主枠部材１０の主内部空間１７の開口部が当接する部分を含む副枠部材２０ａの副内壁２５の端部に、該副内壁２５の一部が副内部空間２７側に後退して形成される副内壁中域後退部２８を形成するのである。このようにしても、該副内壁中域後退部２８と主内部空間１７の開口部との間に空隙３３が形成され、該空隙３３を介して主内部空間１７を外部と連通させることができる。
【００７０】
又、上記の太陽電池モジュール１では、太陽電池モジュール１の副枠部材２０ａに副内壁後退部貫通孔２９と副底辺片貫通孔３１とが形成されている。しかし、太陽電池モジュール１の副枠部材２０ａにおけるこれらの副内壁後退部貫通孔２９、及び、副底辺片貫通孔３１の形成を、省略することもできる。
【００７１】
この場合においても、太陽電池モジュール１では、該主内部空間１７が、副枠部材２０ａに形成された副内壁中域後退部２８と主内部空間１７の開口部との間に形成された空隙３３を介して、外部と連通しているので、上述したように、斜めに配置された主枠部材１０の主内部空間１７に流れ込んだ雨水等を、この空隙３３を介して、外部に排出することができる。
【００７２】
又、上記の太陽電池モジュール１では、主枠部材１０の端縁から、副枠部材２０ａ幅だけ削除されて、主外壁１１の端部に、平坦な主外壁端部１８を形成した上で、該主外壁端部１８の内側面に、副枠部材２０ａの端部の端面を当接させているが、主枠部材１０と副枠部材２０ａの端部での結合方法はこれに限るものではなく、例えば、主枠部材１０の端縁を削除することなく、主枠部材１０にビス受けを、又、副枠部材２０ａにビス穴を設けて結合するようにしてもよいし、Ｌ字アングル等を用いて主枠部材１０と副枠部材２０ａを結合するようにしてもよい。
【００７３】
＜実施の形態２＞
図１１は、実施の形態２における太陽電池モジュール２の平面図である。実施の形態２における太陽電池モジュール２は、主として、枠部材である一対の主枠部材１０，１０、及び、一対の副枠部材２０ｂ，２０ｂと、太陽電池パネル９とで構成されている。
【００７４】
図１２は、この実施の形態２における太陽電池モジュール２の枠部材を外側から見た部分斜視図、図１３は、この枠部材を内側から見た部分斜視図、図１４は、副枠部材２０ｂの切断面図、図１５は、枠部材の部分平面図、図１６は、図１５のＣ−Ｃ断面図を含む側面図、図１７は、図１５のＤ−Ｄ断面図を含む側面図、図１８は、枠部材の部分底面図、図１９は、太陽電池モジュール２を外側から見た部分分解斜視図、そして、図２０は、太陽電池モジュール２を内側から見た部分分解斜視図である。
【００７５】
この実施の形態２における太陽電池モジュール２は、実施の形態１における太陽電池モジュール１と略同じである。実施の形態２における太陽電池モジュール２が、実施の形態１における太陽電池モジュール１と異なる点は、実施の形態２における太陽電池モジュール２では、実施の形態１における太陽電池モジュール１に形成されている副内壁中域後退部２８に代えて、副内壁下端後退部３８が形成されている点である。
【００７６】
即ち、実施の形態１における太陽電池モジュール１では、図３、図９、図１０等に示すように、主枠部材１０の主内部空間１７の開口部が当接する部分を含む副枠部材２０ａの副内壁２５で、副底部片２６の張出位置より上方の位置に、副内壁２５の長手方向に沿ってこの副内壁２５の全体に、この副内壁２５の一部が副内部空間２７側に後退した副内壁中域後退部２８が形成されている。
【００７７】
これに対して、実施の形態２における太陽電池モジュール２では、図１３、図１９、図２０等に示すように、主枠部材１０の主内部空間１７の開口部が当接する部分を含む副枠部材２０ｂの副内壁２５で、副底部片２６の張出位置より下方の位置である副内壁２５の下端に、この副内壁２５の長手方向に沿ってこの副内壁２５の全体に、副内壁下端後退部３８が形成されている。この副内壁下端後退部３８は、図１３、図１９、図２０等に示すように、副枠部材２０ｂの副内壁２５と副底辺片２４とで形成される角部を斜めに面取するように形成されている。この副内壁下端後退部３８は、前述の副内壁後退部に相当する。
【００７８】
上記の実施の形態２における太陽電池モジュール２では、副枠部材２０ｂの副内壁２５と副底辺片２４とで形成される角部を斜めに面取するように形成された副枠部材２０ｂの副内壁下端後退部３８と、主枠部材１０の主内部空間１７の開口部との間に、断面が三角形状の空隙３４が形成される。そして、この空隙３４を介して、主内部空間１７が外部と連通する。
【００７９】
上記の実施の形態２における太陽電池モジュール２によれば、副枠部材２０ｂに形成された副内壁２５の副内壁下端後退部３８と、主枠部材１０の主内部空間１７の開口部との間に、断面が三角形状の空隙３４が形成される。そして、この空隙３４を介して、主内部空間１７が外部と連通する。
【００８０】
そのため、この空隙３４を介して、主枠部材１０の主内部空間１７に流れ込んだ雨水等を、外部に排出することができる。従って、上記の太陽電池モジュール２が、屋根等の屋外に設置されて、雨水等が流れ込んでも、流入した雨水等を排出することができる。
【００８１】
尚、実施の形態２における太陽電池モジュール２には、実施の形態１における太陽電池モジュール１の副枠部材２０ａに形成されていた副内壁後退部貫通孔２９、及び、副底辺片貫通孔３１は、形成されていない。しかし、実施の形態１における太陽電池モジュール１と同様にして、実施の形態２における太陽電池モジュール２においても、副内壁後退部貫通孔２９と副底辺片貫通孔３１とを形成することができる。
【００８２】
実施の形態２における太陽電池モジュール２の副枠部材２０ｂに、これらの副内壁後退部貫通孔２９、及び、副底辺片貫通孔３１を形成することにより、実施の形態１における太陽電池モジュール１で説明したと同様の作用効果を、実施の形態２における太陽電池モジュール２においても奏することができる。
【００８３】
＜実施の形態３＞
図２１は、実施の形態３における太陽電池モジュール３の平面図である。実施の形態３における太陽電池モジュール３は、主として、枠部材である一対の主枠部材１０，１０、及び、一対の副枠部材２０ｃ，２０ｃと、太陽電池パネル９とで構成されている。
【００８４】
図２２は、この実施の形態３における太陽電池モジュール３の枠部材を外側から見た部分斜視図、図２３は、この枠部材を内側から見た部分斜視図、図２４は、副枠部材２０ｃの切断面図、図２５は、枠部材の部分平面図、図２６は、図２５のＥ−Ｅ断面図を含む側面図、図２７は、図２５のＦ−Ｆ断面図を含む側面図、図２８は、枠部材の部分底面図、図２９は、太陽電池モジュール３を外側から見た部分分解斜視図、そして、図３０は、太陽電池モジュール３を内側から見た部分分解斜視図である。
【００８５】
この実施の形態３における太陽電池モジュール３は、実施の形態１における太陽電池モジュール１と略同じである。実施の形態３における太陽電池モジュール３が、実施の形態１における太陽電池モジュール１と異なる点は、実施の形態１における太陽電池モジュール１では、副枠部材２０ａの副外壁２１は、開口部を備えていないのに対して、実施の形態３における太陽電池モジュール３では、副枠部材２０ｃの副外壁２１に、開口部である副外壁開口部３２を備えている点である。
【００８６】
即ち、実施の形態１における太陽電池モジュール１では、副枠部材２０ａは、図３、図４等に示すように、副外壁２１、副保持上片２２、副保持下片２３、副底辺片２４、副内壁２５、及び、副底部片２６で構成されており、副枠部材２０ａには、図３等に示すように、副外壁２１、副保持下片２３、副内壁２５、及び、副底辺片２４で囲まれる副内部空間２７が形成されている。この実施の形態１における太陽電池モジュール１では、副枠部材２０ａの副外壁２１は、開口部を備えていない。
【００８７】
これに対して、実施の形態３における太陽電池モジュール３では、実施の形態１における太陽電池モジュール１の副枠部材２０ａの副外壁２１において、副内部空間２７を形成している部分の該副外壁２１を削除して形成される開口部を、太陽電池モジュール３の副枠部材２０ｃの副外壁２１に備えているのである。この開口部が、図２２、図２３、図２４、図２９、図３０等に示す、副外壁開口部３２である。
【００８８】
上記の実施の形態３における太陽電池モジュール３によれば、副外壁開口部３２により、副枠部材２０ｃの副内部空間２７は、閉空間とはならず、副外壁開口部３２を備えた空間となることから、この副枠部材２０ｃの副内部空間２７に流入した雨水等を、この副外壁開口部３２から排出することができる。
【００８９】
又、主枠部材１０における主内部空間１７に、雨水等が流れ込んだ場合に、実施の形態１における太陽電池モジュール１と同様、主内部空間１７を流れる雨水等が、副内壁後退部貫通孔２９から副枠部材２０ｃの副内部空間２７に流入すると共に、この副内部空間２７に流入した雨水等を、副外壁開口部３２から排出することができる。
【００９０】
従って、上記の太陽電池モジュール３が、屋根等の屋外に設置されて、雨水等が流れ込んでも、排出することができる。又、実施例１と同様、万が一、流れ込んだ雨水が凍結したとしても、枠形状が変形するのを防止することができる。
【００９１】
上記の実施の形態３における太陽電池モジュール３では、実施の形態１における太陽電池モジュール１をベースとしているので、実施の形態３における太陽電池モジュール３の副枠部材２０ｃの副内壁２５には、副内壁中域後退部２８が形成されている。
【００９２】
しかし、上記の実施の形態３における太陽電池モジュール３を、実施の形態２における太陽電池モジュール２をベースとして構成することもできる。この場合は、実施の形態３における太陽電池モジュール３の副枠部材２０ｃの副内壁２５には、副内壁中域後退部２８に代えて、副内壁下端後退部３８が形成される。
【図面の簡単な説明】
【００９３】
【図１】実施の形態１における太陽電池モジュールの平面図である。
【図２】実施の形態１における太陽電池モジュールの枠部材を外側から見た部分斜視図である。
【図３】実施の形態１における太陽電池モジュールの枠部材を内側から見た部分斜視図である。
【図４】実施の形態１における太陽電池モジュールの副枠部材の切断面図である。
【図５】実施の形態１における太陽電池モジュールの枠部材の部分平面図である。
【図６】図５のＡ−Ａ断面図を含む側面図である。
【図７】図５のＢ−Ｂ断面図を含む側面図である。
【図８】実施の形態１における太陽電池モジュールの枠部材の部分底面図である。
【図９】実施の形態１における太陽電池モジュールを外側から見た部分分解斜視図である。
【図１０】実施の形態１における太陽電池モジュールを内側から見た部分分解斜視図である。
【図１１】実施の形態２における太陽電池モジュールの平面図である。
【図１２】実施の形態２における太陽電池モジュールの枠部材を外側から見た部分斜視図である。
【図１３】実施の形態２における太陽電池モジュールの枠部材を内側から見た部分斜視図である。
【図１４】実施の形態２における太陽電池モジュールの副枠部材の切断面図である。
【図１５】実施の形態２における太陽電池モジュールの枠部材の部分平面図である。
【図１６】図１５のＣ−Ｃ断面図を含む側面図である。
【図１７】図１５のＤ−Ｄ断面図を含む側面図である。
【図１８】実施の形態２における太陽電池モジュールの枠部材の部分底面図である。
【図１９】実施の形態２における太陽電池モジュールを外側から見た部分分解斜視図である。
【図２０】実施の形態２における太陽電池モジュールを内側から見た部分分解斜視図である。
【図２１】実施の形態３における太陽電池モジュールの平面図である。
【図２２】実施の形態３における太陽電池モジュールの枠部材を外側から見た部分斜視図である。
【図２３】実施の形態３における太陽電池モジュールの枠部材を内側から見た部分斜視図である。
【図２４】実施の形態３における太陽電池モジュールの副枠部材の切断面図である。
【図２５】実施の形態３における太陽電池モジュールの枠部材の部分平面図である。
【図２６】図２５のＥ−Ｅ断面図を含む側面図である。
【図２７】図２５のＦ−Ｆ断面図を含む側面図である。
【図２８】実施の形態３における太陽電池モジュールの枠部材の部分底面図である。
【図２９】実施の形態３における太陽電池モジュールを外側から見た部分分解斜視図である。
【図３０】実施の形態３における太陽電池モジュールを内側から見た部分分解斜視図である。
【符号の説明】
【００９４】
１  太陽電池モジュール
２  太陽電池モジュール
３  太陽電池モジュール
９  太陽電池パネル
１０  主枠部材
１１  主外壁
１２  主保持上片
１３  主保持下片
１４  主底辺片
１５  主内壁
１６  主底部片
１７  主内部空間
１８  主外壁端部
１９  ビス穴
２０ａ  副枠部材
２０ｂ  副枠部材
２０ｃ  副枠部材
２１  副外壁
２２  副保持上片
２３  副保持下片
２４  副底辺片
２５  副内壁
２６  副底部片
２７  副内部空間
２８  副内壁中域後退部
２９  副内壁後退部貫通孔
３０  ビス受け
３１  副底辺片貫通孔
３２  副外壁開口部
３３  空隙
３４  空隙
３８  副内壁下端後退部
【図１】
0004616369.tif 000002
【図２】
0004616369.tif 000003
【図３】
0004616369.tif 000004
【図４】
0004616369.tif 000005
【図５】
0004616369.tif 000006
【図６】
0004616369.tif 000007
【図７】
0004616369.tif 000008
【図８】
0004616369.tif 000009
【図９】
0004616369.tif 000010
【図１０】
0004616369.tif 000011
【図１１】
0004616369.tif 000012
【図１２】
0004616369.tif 000013
【図１３】
0004616369.tif 000014
【図１４】
0004616369.tif 000015
【図１５】
0004616369.tif 000016
【図１６】
0004616369.tif 000017
【図１７】
0004616369.tif 000018
【図１８】
0004616369.tif 000019
【図１９】
0004616369.tif 000020
【図２０】
0004616369.tif 000021
【図２１】
0004616369.tif 000022
【図２２】
0004616369.tif 000023
【図２３】
0004616369.tif 000024
【図２４】
0004616369.tif 000025
【図２５】
0004616369.tif 000026
【図２６】
0004616369.tif 000027
【図２７】
0004616369.tif 000028
【図２８】
0004616369.tif 000029
【図２９】
0004616369.tif 000030
【図３０】
0004616369.tif 000031